(57)【特許請求の範囲】
【請求項１】
外扉の裏面側にコインメックを組み込んだ自動販売機において、外扉の裏面側に、コインメックを包囲して施錠する扉式の防盗カバーを設け、当該防盗カバーをコインメックと共締めして外扉にねじ止め固定したベース枠の一側縁にヒンジ結合するとともに、ベース枠の他端側にその側縁より突出する止め金部を設け、該止め金部に防盗カバーの板面に開口した角穴を掛け止めした上で、錠前で施錠するようにしたことを特徴とする自動販売機のコインメック防盗装置。
【発明の詳細な説明】
【０００１】
【発明の属する技術分野】
この発明は自動販売機のコインメック防盗装置に関する。
【０００２】
【従来の技術】
まず、図５にこの発明の実施対象となる自動販売機の構成を示す。図において、１は自動販売機の本体ケース、２は外扉、３は内扉、４は商品収納ラック、５は商品搬出シュータ、６は外扉２に備えた商品取出口であり、外扉２の裏面側には金銭処理装置としてコインメック７，ビルバリデータ８が組み込まれている。なお、自動販売機の販売動作については周知であり、ここではその説明を省略する。
【０００３】
ここで、図６(a),(b) で示すように、コインメック７は外扉２を開いた状態でコイン回収，釣銭補給，点検などの作業が行えるように、外扉２の裏面側に露出した状態に組み込まれており、具体的には外扉２の扉板に植設した止めねじ９にコインメック７のケースに開口したダルマ穴を引っ掛けて取り外し可能に支持している。
【０００４】
【発明が解決しようとする課題】
ところで、最近になり自動販売機から金銭を盗み出す盗難事故が急増している。その手口は、夜間など周囲に人気の無い間にバールなどの道具を使って自動販売機の外扉を無理やりこじ開けてコインメック，ビルバリデータから金銭を盗む、あるいはルートマン（保守員）が図５のように外扉を開放した状態でその場所を離れた僅かな隙に近寄ってコインメックから金銭を盗み出すなどである。
【０００５】
そこで、従来では防盗対策として自動販売機の外扉に鎖を付けて施錠するなどの措置を施しているが、鎖を付けることは外見上の体裁を損ない、また外扉を開いた状態で行うメンテナンス作業時の隙を狙った盗難を防ぐことができない。
この発明は上記の点に鑑みなされたものであり、その目的は前記課題を解決し、簡単，かつ取扱い易い構造で高い防盗性が確保でき、しかも既設の自動販売機に対してもそのロケーション先の現地で簡単に追加装備できるようにした自動販売機のコインメック防盗装置を提供することにある。
【０００６】
【課題を解決するための手段】
上記目的を達成するために、この発明によれば、外扉の裏面側にコインメックを組み込んだ自動販売機において、外扉の裏面側に、コインメックを包囲して施錠する扉式の防盗カバーを設けるものとし、当該防盗カバーをコインメックと共締めして外扉にねじ止め固定したベース枠の一側縁にヒンジ結合するとともに、ベース枠の他端側にその側縁より突出する止め金部を設け、該止め金部に防盗カバーの板面に開口した角穴を掛け止めした上で、錠前で施錠するように構成する。
【０００７】
上記構成によれば、コインメックの外扉への取付け構造を何ら変更することなく、コインメックの止めねじを利用してベース枠，防盗カバーの組立体を追加装備するだけで、コインメックの防盗装置を既設の自動販売機にも簡単に取付けることができる。
【０００９】
【発明の実施の形態】
以下、この発明の実施の形態を、図１ないし図４で表した実施例に基づいて説明する。なお、実施例の図中で図６に対応する同一部材には同じ符号が付してある。
まず、図１(a) において、外扉２の裏面側におけるコインメック７の取付部分には、この発明による防盗装置として、コインメック７を包囲する扉式の防盗カバー１０，およびそのベース枠１１の組立体が装着されており、ベース枠１１はコインメック７に重ね合わせて外扉２に植設した止めねじ９で共締めするようにしている。
【００１０】
ここで、ベース枠１１は、図２(a) 〜(c) で示すように断面Ｕ字形の板金加工品で、その背面には止めねじ９に引っ掛けるダルマ穴１１ａが開口し、右側縁には前方に突出する止め金部１１ｂが形成されている。また、防盗カバー１０は、コインメック７，およびコインメックの隣に併設したビルバリデータ８の前面を覆うように横幅を拡張（ビルバリデータ８を覆う板面域を符号１０ｂで示す）した扉板であって、その左端を縁巻き加工した上でヒンジピン１２を介してベース枠１１の左側縁（この部分も縁巻き加工されている）に軸支連結されており、さらにその板面の中央には前記したベース枠１１の止め金部１１ｂに掛け合う角穴１０ａが開口している。
【００１１】
また、図３(a),(b) で表すように、防盗カバー１０とベース枠１１との間のヒンジ結合部に遊び間隙ｇをトリミングし、ベース枠１１に対して防盗カバー１０が前記の遊び間隙ｇ分だけ上下方向へスライドできるようにしている。さらに、図４(a),(b) で示すように、前記したベース枠１１の止め金部１１ｂには、南京錠１３の腕金１３ａを通すための穴１１ｃ，防盗カバー１０の角穴１０ａを落とし込み式に引っ掛ける凹状の係合溝１１ｄ，および防盗カバー１０の角穴１０ａを係合溝１１ｄに導くためのテーパーガイド１１ｅが形成されている。
【００１２】
次に、前記構成の防盗カバー１０の設置，ならびに使用法を説明する。ロケーション先に据付けた既設の自動販売機を含めて、図１（ａ）のようにコインメック７を一旦取り外した状態で先ずベース枠１１を止めねじ９へ引っ掛け、その上にコインメック７を重ね合わせ止めねじ９で共締め固定する。次に、図１（ｂ）で示すように防盗カバー１０を開放位置から閉じ、角穴１０ａをベース枠１１の止め金部１１ｂに差し込んでそのまま押し込む。これにより図４（ａ）で表すように角穴１０ａが止め金部１１ｂのテーパーガイド１１ ｅに沿ってスライドし、その先端を乗り越えて係合溝１１ｄに落ち込んで鎖錠位置に係合する。そして、この状態で止め金部１１ｂの穴１１ｃに南京錠１３の腕金１３ａを通して施錠する。
【００１３】
これにより、外扉２の裏面側に組み込んだコインメック７，およびビルバリデータ８が施錠された防盗カバー１０で覆われるようになる。したがって、外扉からコインメック７，ビルバリデータ８を不正に取り外すことは勿論のこと、コイン，紙幣の抜き取りを邪魔して金銭の盗難を防止できる。
【００１４】
【発明の効果】
以上述べたようにこの発明の構成によれば、簡単な部品を追加装備するだけで、ロケーション先に据付けた既設の自動販売機も含めて、外扉の裏面側に組み込んだコインメックの取付構造を変更することなく、コインメック，ビルバリデータから金銭を盗み出す不正行為に対して防盗性の高い防盗装置を提供できる。
【図面の簡単な説明】
【図１】この発明の実施例による防盗装置の取付け，使用法の説明図であり、(a) はコインメックの取付前の状態，(b) は使用状態を表す斜視図
【図２】図１における防盗装置の構成図であり、(a) は平面図，(b) は正面図，(c) は側面図
【図３】図２(b) におけるＰ部の詳細図であり、(a),(b) はそれぞれ防盗カバーを下ろした状態，引き上げスライドした状態を表す図
【図４】図２(c) におけるＱ部の詳細図であり、(a) は止め金の拡大図、(b) は南京錠を施錠した状態の正面図
【図５】この発明の実施対象となる自動販売機の外扉開放状態を表す外観図
【図６】従来におけるコインメックの取付け構造図であり、(a) は外扉に組み込んだ状態，(b) はコインメックを取り外した状態を表す斜視図
【符号の説明】
２    外扉
７    コインメック
８    ビルバリデータ
９    止めねじ
１０    防盗カバー
１０ａ  角穴
１１    ベース枠
１１ｂ  掛け金
１１ｃ  南京錠の通し穴
１１ｄ  係合溝
１１ｅ  テーパーガイド
【図１】
0003760563.tif 000002
【図２】
0003760563.tif 000003
【図３】
0003760563.tif 000004
【図４】
0003760563.tif 000005
【図５】
0003760563.tif 000006
【図６】
0003760563.tif 000007